(57)【要約】【課題】本発明は、裸眼による立体視が可能であり、タッチパネル操作による入力が可能なタッチパネル付立体視液晶表示装置を提供することを主目的とする。【解決手段】本発明は、バックライトと、上記バックライト上に形成された液晶表示基板と、上記液晶表示基板上に形成されたタッチパネル基板と、上記バックライトおよび上記液晶表示基板の間または上記液晶表示基板および上記タッチパネル基板の間に形成され、上記液晶表示基板に表示された左眼画像と右眼画像とを分離して裸眼立体視を可能にする立体化基板と、を有することを特徴とするタッチパネル付立体視液晶表示装置を提供することにより、上記目的を達成する。【選択図】図１
2015161795.tif 000002
【特許請求の範囲】
【請求項１】
バックライトと、
前記バックライト上に形成された液晶表示基板と、
前記液晶表示基板上に形成されたタッチパネル基板と、
前記バックライトおよび前記液晶表示基板の間、または前記液晶表示基板および前記タッチパネル基板の間に形成され、前記液晶表示基板に表示された左眼画像と右眼画像とを分離して裸眼立体視を可能にする立体化基板と、
を有することを特徴とするタッチパネル付立体視液晶表示装置。
【請求項２】
前記立体化基板が、前記液晶表示基板および前記タッチパネル基板の間に形成されていることを特徴とする請求項１に記載のタッチパネル付立体視液晶表示装置。
【請求項３】
前記立体化基板が、液晶レンズ基板であることを特徴とする請求項１または請求項２に記載のタッチパネル付立体視液晶表示装置。
【請求項４】
前記立体化基板および前記タッチパネル基板の間に絶縁層が形成されていることを特徴とする請求項２または請求項３に記載のタッチパネル付立体視液晶表示装置。
【発明の詳細な説明】
【技術分野】
【０００１】
本発明は、裸眼による立体視が可能であり、タッチパネル操作による入力が可能なタッチパネル付立体視液晶表示装置に関するものである。
【背景技術】
【０００２】
今日、入力手段として、タッチパネルが広く用いられている。タッチパネルは、多くの場合、液晶ディスプレイ等の表示装置が組み込まれた種々の装置等（例えば、券売機、ＡＴＭ装置、携帯電話、ゲーム機）に対する入力手段として表示装置とともに用いられている。このような装置において、タッチパネルは表示装置の表示面上に配置され、これにより、タッチパネルは表示装置に対する極めて直接的な入力を可能にする。
【０００３】
このようなタッチパネルとしては、様々な方式のものが実用化されている。このなかで、静電容量方式と呼ばれるものは、第１電極／電極間絶縁層／第２電極の層構造を有するものが用いられる（例えば、特許文献１〜４）。そして、タッチパネルの表面のタッチパネル面に微弱な電流を流して電界を形成し、指等の導電体が軽く触れた場合の静電容量値の変化を電圧の低下等に変換して検知することにより得られた接触位置を信号として出力する。
【０００４】
また、タッチパネルと共に用いられる表示装置としては、液晶表示装置等が一般的に用いられる。
【先行技術文献】
【特許文献】
【０００５】
【特許文献１】特開２００６−１７２３４９号公報
【特許文献２】特開２００６−３４４１６３号公報
【特許文献３】特開２０１３−１６１３４３号公報
【特許文献４】特開２０１３−１６１４４８号公報
【発明の概要】
【発明が解決しようとする課題】
【０００６】
しかしながら、タッチパネルと共に用いられる液晶表示装置としては二次元の画像を表示するものが用いられており、立体視と共にタッチパネル操作による入力を行うことができる装置は得られていない。特に、裸眼による立体視が可能であり、さらに、タッチパネル操作による入力が可能な装置は得られていない。
【０００７】
本発明は、裸眼による立体視が可能であり、タッチパネル操作による入力が可能なタッチパネル付立体視液晶表示装置を提供することを主目的とする。
【課題を解決するための手段】
【０００８】
上記課題を解決するために、本発明は、バックライトと、前記バックライト上に形成された液晶表示基板と、上記液晶表示基板上に形成されたタッチパネル基板と、上記バックライトおよび上記液晶表示基板の間または上記液晶表示基板および上記タッチパネル基板の間に形成され、上記液晶表示基板に表示された左眼画像と右眼画像とを分離して裸眼立体視を可能にする立体化基板と、を有することを特徴とするタッチパネル付立体視液晶表示装置を提供する。
【０００９】
本発明によれば、上記立体化基板および上記タッチパネル基板の両者を有することにより、裸眼による立体視が可能であり、タッチパネル操作による入力が可能なものとすることができる。
また、上記各構成が上記の順序で形成されていることにより、タッチパネル操作による入力感度に優れたものとすることができる。
【００１０】
本発明においては、上記立体化基板が、上記液晶表示基板および上記タッチパネル基板の間に形成されていることが好ましい。
上記立体化基板が液晶レンズ基板である場合には、上記形成位置であることにより、裸眼による立体視の容易なものとすることができるからである。
【００１１】
本発明においては、上記立体化基板が、液晶レンズ基板であることが好ましい。
輝度に優れ、省電力なものとすることができるからである。
【００１２】
本発明においては、上記立体化基板および上記タッチパネル基板の間に絶縁層が形成されていることが好ましい。
省電力化を図ることができるからである。
【発明の効果】
【００１３】
本発明においては、裸眼による立体視が可能であり、タッチパネル操作による入力が可能なタッチパネル付立体視液晶表示装置を提供できるといった作用効果を奏する。
【図面の簡単な説明】
【００１４】
【図１】本発明のタッチパネル付立体視液晶表示装置の一例を示す概略断面図である。
【図２】本発明に用いられる立体化基板の一例を示す概略断面図である。
【図３】本発明に用いられる立体化基板の他の例を示す概略断面図である。
【図４】本発明に用いられるタッチパネル基板の一例を示す概略断面図である。
【図５】本発明に用いられるタッチパネル基板の他の例を示す概略断面図である。
【図６】本発明に用いられるタッチパネル基板の他の例を示す概略断面図である。
【図７】本発明に用いられるタッチパネル基板の他の例を示す概略断面図である。
【図８】本発明に用いられる液晶表示基板一例を示す概略断面図である。
【図９】本発明のタッチパネル付立体視液晶表示装置の他の例を示す概略断面図である。
【図１０】本発明のタッチパネル付立体視液晶表示装置の他の例を示す概略断面図である。
【図１１】本発明のタッチパネル付立体視液晶表示装置の他の例を示す概略断面図である。
【図１２】本発明のタッチパネル付立体視液晶表示装置の他の例を示す概略断面図である。
【発明を実施するための形態】
【００１５】
本発明は、タッチパネル付立体視液晶表示装置に関するものである。
以下、本発明のタッチパネル付立体視液晶表示装置について説明する。
【００１６】
本発明のタッチパネル付立体視液晶表示装置は、バックライトと、上記バックライト上に形成された液晶表示基板と、上記液晶表示基板上に形成されたタッチパネル基板と、上記バックライトおよび上記液晶表示基板の間または上記液晶表示基板および上記タッチパネル基板の間に形成され、上記液晶表示基板に表示された左眼画像と右眼画像とを分離して裸眼立体視を可能にする立体化基板と、を有することを特徴とするものである。
【００１７】
このような本発明のタッチパネル付立体視液晶表示装置について図を参照して説明する。図１は本発明のタッチパネル付立体視液晶表示装置の一例を示す概略断面図である。図１に例示するように、本発明のタッチパネル付立体視液晶表示装置１０は、バックライト１と、上記バックライト１上に形成された液晶表示基板２と、上記液晶表示基板２上に形成されたタッチパネル基板３と、上記液晶表示基板２および上記タッチパネル基板３の間に形成され、上記液晶表示基板２に表示された左眼画像と右眼画像とを分離して裸眼立体視を可能にする立体化基板４と、上記タッチパネル基板３上に形成されたカバーガラス５と、上記立体化基板４および上記タッチパネル基板３の間に形成され、絶縁材料を用いて形成された絶縁材料層６ａを含む絶縁層６と、を有することを特徴とするものである。
【００１８】
本発明によれば、上記立体化基板および上記タッチパネル基板の両者を有することにより、裸眼による立体視が可能であり、タッチパネル操作による入力が可能なものとすることができる。
また、上記各構成が上記の順序で形成されていること、すなわち、タッチパネル基板が、液晶表示基板および立体化基板に対して表面側（タッチパネル操作側）に位置することにより、タッチパネル操作による入力感度に優れたものとすることができる。
また、このようなタッチパネル付立体視液晶表示装置を用いることにより、例えば、飛び出す絵本を立体画像として表示されたもの、３ＤＣＡＤにより作成した立体図形、ＣＴ画像等の医療用の撮影画像、教育用の立体画像等を裸眼により認識することができ、さらにこのような立体画像等に対して、タッチパネル操作を介した直接的な入力や視点の変更等を容易に行うことが可能となる。
【００１９】
本発明のタッチパネル付立体視液晶表示装置は、バックライト、液晶表示基板、立体化基板およびタッチパネル基板を有するものである。
以下、本発明のタッチパネル付立体視液晶表示装置の各構成について詳細に説明する。
【００２０】
１．立体化基板
本発明に用いられる立体化基板は、上記バックライトおよび上記液晶表示基板の間または上記液晶表示基板および上記タッチパネル基板の間に形成され、上記液晶表示基板に表示された左眼画像と右眼画像とを分離して裸眼立体視を可能にするものである。
このような立体化基板としては、二次元画像表示および立体表示の両者を切り替え表示可能なものであれば特に限定されるものではないが、液晶層を有し、液晶層内に電界をかけることにより二次元画像表示および立体表示の両者の切り替えが可能なものであることが好ましく、例えば、レンチキュラーレンズ機能を付与することができる液晶レンズ基板、および遮光部および透過部をストライプ状に形成することができるパララックスバリア基板を用いることが好ましく、なかでも液晶レンズ基板であることが好ましい。上記立体化基板が液晶レンズ基板であることにより、輝度に優れ、省電力なものとすることができるからである。また、偏光板を不要とすることができるため、厚みの薄いものとすることができるからである。
【００２１】
上記液晶レンズ基板は、液晶層内に電界をかけて液晶層中の液晶分子の配向を変化させることでレンチキュラーレンズ機能を付与することにより、上記液晶表示基板に表示された左眼画像と右眼画像とを分離して裸眼立体視を可能にするものである。
このような液晶レンズ基板としては、例えば、特開２０１２−１７３５１７号公報や特開２０１２−１７３３１８号公報に記載されるように、２枚の電極層を有する透明基板と、両透明基板間に形成された液晶層とを有するものを用いることができる。
より具体的には、図２に例示するように、透明基板１１ａ、電極層１２ａ、配向層１３ａ、液晶層１４、配向層１３ｂ、電極層１２ｂおよび透明基板１１ｂがこの順で積層された液晶セル構造を有するものを用いることができる。また、２枚の透明基板（１１ａおよび１１ｂ）間の厚みを固定し、上記液晶層１４のギャップを一定に維持するスペーサ１５を有するものを用いることができる。
また、上記液晶レンズ基板に用いられる液晶層の厚みとしては、精度良く裸眼立体視を可能とすることができるものであれば特に限定されるものではないが、例えば、３０μｍ〜１００μｍの範囲内とすることができる。
【００２２】
上記パララックスバリア基板は、液晶層内に電界をかけることで、遮光部および透過部をストライプ状に形成することにより、上記液晶表示基板に表示された左眼画像と右眼画像とを分離して裸眼立体視を可能にするものである。
このようなパララックスバリア基板としては、例えば、特開２０１２−１８１２７５号公報や特開２０１３−２３５１５９号公報に記載されるように、液晶分子を含む液晶層および上記液晶層を挟持する偏光板を有するものを用いることができる。
より具体的には、図３に例示するように、透明基板２１ａ、電極層２２ａ、配向層２３ａ、液晶層２４、配向層２３ｂ、電極層２２ｂおよび透明基板２１ｂがこの順で積層された液晶セル構造が、偏光層２６ａおよび偏光層２６ｂにより挟持されたものを用いることができる。また、上記液晶層２４は、通常、２枚の透明基板（２１ａおよび２１ｂ）間の厚みを固定し、上記液晶層のギャップを一定に維持するスペーサ２５を有するものである。
【００２３】
上記立体化基板の形成位置としては、上記バックライト上であれば良く、上記液晶表示基板およびバックライトの間または上記液晶表示基板および上記タッチパネル基板の間とすることができる。
本発明においては、なかでも、上記立体化基板が液晶レンズ基板である場合には、上記液晶表示基板および上記タッチパネル基板の間に形成されていることが好ましい。上記形成位置であることにより、裸眼による立体視の容易なものとすることができるからである。
【００２４】
２．タッチパネル基板
本発明におけるタッチパネル基板は、上記液晶表示基板および上記立体化基板上に形成されるものである。
【００２５】
このようなタッチパネル基板としては、接触位置を検出することができるものであれば特に限定されるものではなく、例えば、静電容量方式のものを用いることができる。
上記静電容量方式のタッチパネル基板としては、液晶表示装置と共に用いられるものと同様のものを使用することができ、例えば、上記特許文献１〜４に記載のものを用いることができる。
より具体的には、上記タッチパネル基板としては、第１センサ電極、透明電極間絶縁層および第２センサ電極がこの順で形成されたセンサ部が、透明絶縁基材により支持されたものを挙げることができ、なかでも、図４に例示するように透明絶縁基材３１の一方の表面上に、第１センサ電極３２ａ、透明電極間絶縁層３３および第２センサ電極３２ｂがこの順で形成された層構造を有するもの（第１実施態様）、図５に例示するように第１センサ電極３２ａが形成された透明絶縁基材３１ａおよび第２センサ電極３２ｂが形成された透明絶縁基材３１ｂを準備し、一方の透明絶縁基材３１ｂを透明電極間絶縁層３３として使用するように積層した層構造を有するもの（第２実施態様）、図６に例示するように第１センサ電極３２ａが形成された透明絶縁基材３１ａおよび第２センサ電極３２ｂが形成された透明絶縁基材３１ｂを準備し、透明電極間絶縁層３３を介して第１センサ電極３２ａおよび第２センサ電極３２ｂが対向するように積層した層構造を有するもの（第３実施態様）、図７に例示するように透明絶縁基材３１の一方の表面上に第１センサ電極３２ａが形成され、透明絶縁基材３１の他方の表面上に第２センサ電極３２ｂが形成され、上記透明絶縁基材３１を透明電極間絶縁層３３として使用する層構造を有するもの（第４実施態様）であることが好ましく、特に、上記第１実施態様の層構造を有するものであることが好ましい。上記層構造を有するものであることにより、上記タッチパネル基板に含まれるセンサ電極等の保護のために上記タッチパネル基板上に形成されるカバーガラスと、上記センサ部を支持する透明絶縁基材とを兼用することが容易であるからである。このため、本発明のタッチパネル付立体視液晶表示装置を厚みの薄いものとすることが容易であるからである。
【００２６】
３．液晶表示基板
本発明における液晶表示基板は、上記バックライト上に形成されるものである。
このような液晶表示基板としては、一般的な液晶表装置に用いられるものを使用することができ、例えば、液晶セル構造が偏光層により挟持された液晶セル部と、カラーフィルタと、を有するものを挙げることができる。
【００２７】
上記液晶セル部およびカラーフィルタについては一般的に表示装置用のディスプレイとして公知のものを用いることができる。
具体的には、図８に例示するように、透明基材４１ａ、共通電極４２ａ、配向膜４３ａ、液晶部４４、配向膜４３ｂ、画素電極４２ｂおよび透明基材４１ｂがこの順で積層された液晶セル構造が、偏光板４６ａおよび偏光板４６ｂにより挟持された液晶セル部４０と、透明基材５１ａおよび上記透明基板５１上に形成された画素部５２を有するカラーフィルタ５０と、を有するものを用いることができる。
また、上記液晶部４４は、通常、２枚の透明基材（４１ａおよび４１ｂ）間の厚みを固定し、上記液晶部４４のギャップを一定に維持するスペーサ４５を有するものである。
【００２８】
上記液晶セル部およびカラーフィルタ等については、それぞれを構成する各部材間が共通化されていても良い。
例えば、カラーフィルタに含まれる透明基材を、液晶セル部に含まれる透明基材と兼用しても良い。
【００２９】
４．バックライト
本発明におけるバックライトは、上記液晶表示基板、立体化基板およびタッチパネル基板に対して背面側に形成されるものである。
このようなバックライトについては、冷陰極管や、発光ダイオード等の液晶表示装置に一般的に用いられるものを使用することができるので、ここでの説明を省略する。
【００３０】
５．タッチパネル付立体視液晶表示装置
本発明のタッチパネル付立体視液晶表示装置は、上記バックライト、液晶表示基板、立体化基板およびタッチパネル基板を有するものであるが、必要に応じて他の構成を有するものであっても良い。
このような他の構成としては、例えば、タッチパネル基板上に形成されるカバーガラスや、上記各構成間を接着する接着剤層を挙げることができる。
上記カバーガラスを構成する材料としては、透明性を有する材料からなるものであれば特に限定されるものではないが、化学強化ガラス、ソーダガラス、石英ガラス、無アルカリガラス等のガラス類、ポリカーボネート、ポリアクリル酸エステル、ポリメタクリル酸エステルなどの樹脂類、および他の無機材料類等からなるものを挙げることができる。
上記接着剤層としては、透明性を有する材料からなるものであれば特に限定されるものではないが、例えば、特許３６１１２３４号公報に記載のシリコーンゴムやエチレンプロピレンゴム、国際公開第２００６／００６２６５号に記載のカルボン酸変成熱可塑性エラストマー、カルボン酸未変成熱可塑性エラストマー及び可塑剤の混合物を用いることができる。
【００３１】
また、本発明においては、上記立体化基板が上記液晶表示基板および上記タッチパネル基板の間に形成されている場合には、上記立体化基板および上記タッチパネル基板の間に両基板に含まれる電極間の距離を調整する絶縁層が形成されていることが好ましい。上記絶縁層が形成されることにより、上記立体化基板を駆動させる際に電極層から生じる電界の影響が上記タッチパネル基板のセンサ電極に及ぶことを抑制できるからである。その結果、タッチパネル基板の誤作動を抑制することができ、タッチパネル基板を入力感度に優れたものとすることができるからである。またこのようなことから、タッチパネル基板について入力感度に優れたものとしつつ、省電力化を図ることができるからである。
本発明においては、なかでも、上記立体化基板が液晶レンズ基板であることが好ましい。上記立体化基板が液晶レンズ基板である場合には、偏光板を必須の構成としないため、上記立体化基板を駆動する電極層と上記タッチパネル基板に含まれるセンサ電極との距離が短くなる傾向がある。このため、上記液晶レンズ基板を駆動させる際の電界の影響が上記タッチパネル基板に及びやすいものとなる。
このようなことから、上記絶縁層が上記液晶レンズ基板と共に用いられることにより、タッチパネル操作による入力感度に優れ、省電力化を図ることができるとの効果をより効果的に発揮できるからである。
【００３２】
上記絶縁層としては、立体化基板からタッチパネル基板への電界の影響を抑制できるものであれば特に限定されるものではなく、既に説明した図１に示すように絶縁材料を用いて形成された絶縁材料層６ａのみからなるものであっても良く、図９に例示するように絶縁材料層６ａがパターン状に形成されることにより形成された空気層６ｂを含むものであっても良い。
【００３３】
上記絶縁材料としては、タッチパネル付の液晶表示装置に一般的に用いられるものを使用することができ、例えば、ポリイミド樹脂、アクリル樹脂、カルド樹脂、エポキシ樹脂、メラミン樹脂等の絶縁性樹脂材料等や、ガラス等の無機材料等を挙げることができる。
なお、上記絶縁材料は１種類であっても良いが、２種類以上を組み合わせても良い。また、上記絶縁層の層構造は１層であっても良く、２層以上を含むものであっても良い。
また、上記絶縁層を上記接着剤層として用いるものであっても良い。
【００３４】
上記絶縁層の厚みとしては、上記立体化基板を駆動させた際に、タッチパネル基板への電界の影響を低減できるものであれば特に限定されるものではないが、上記タッチパネル基板に含まれる立体化基板側に配置されるセンサ電極および上記立体化基板に含まれる上記タッチパネル基板側に配置される液晶駆動用の電極層の距離である電極間距離を、１μｍ〜１０００μｍの範囲内とすることができ、なかでも、１０μｍ〜１０００μｍの範囲内とすることができ、特に、１００μｍ〜１０００μｍの範囲内とすることができるものであることが好ましい。上記厚みが上述の範囲内であることにより、タッチパネル基板への電界の影響を効果的に抑制でき、タッチパネル操作による入力感度に優れたものとすることができるからである。
なお、上記電極間距離は、上記タッチパネル基板に含まれる立体化基板側に配置されるセンサ電極の立体化基板側表面から上記立体化基板に含まれる上記タッチパネル基板側に配置される液晶駆動用の電極層のタッチパネル基板側表面までの距離をいうものであり、具体的には、図９中におけるｄで示される距離をいうものである。
【００３５】
本発明においては、上述のようにタッチパネル基板に含まれる透明絶縁基材とカバーガラスとを兼用するもの（兼用例１）のように、上記各構成間の部材を兼用するものであっても良い。
他の兼用の例としては、例えば、液晶表示基板に含まれるカラーフィルタを構成する透明基材と立体化基板としての液晶レンズ基板に含まれる透明基板とを兼用するもの（兼用例２）、液晶表示基板に含まれるカラーフィルタを構成する透明基材とタッチパネル基板に含まれる透明絶縁基材とを兼用するもの（兼用例３）、立体化基板としての液晶レンズ基板に含まれる透明基板とタッチパネル基板に含まれる透明絶縁基材とを兼用するもの（兼用例４）とすることができる。
なお、図１０は兼用例１、図１１は兼用例２および兼用例４、図１２は兼用例３の構成を採用した場合のタッチパネル付立体視液晶表示装置１０の一例を示す概略断面図である。なお、図１２の例においては、立体化基板４としてパララックスバリア基板を用いるものである。
【００３６】
本発明のタッチパネル付立体視液晶表示装置の製造方法としては、上記各構成を精度良く形成できるものであれば特に限定されるものではなく、例えば、上記各構成を準備した後、各構成間に接着剤層を形成して貼り合わせる方法を用いることができる。
また、上記各構成間の部材を兼用する場合、兼用する構成を形成した上で、他の構成と貼り合わせる方法を用いることが好ましい。厚みの薄いタッチパネル付立体視液晶表示装置を容易に得ることができるからである。
具体的には、上記兼用例１の場合では、カバーガラス上にセンサ部を形成することによりカバーガラスおよびタッチパネル基板を準備した上で、立体化基板および液晶表示基板と貼り合わせる方法を用いることができる。
上記兼用例２の場合では、液晶表示基板に含まれるカラーフィルタを構成する透明基材の裏面に液晶セル構造を形成することにより液晶表示基板および立体化基板を準備した上で、バックライトおよびタッチパネル基板と貼り合わせる方法を用いることができる。
上記兼用例３の場合では、液晶表示基板に含まれるカラーフィルタを構成する透明基材の裏面にセンサ部を形成することによりタッチパネル基板および液晶表示基板を準備した上で、バックライトおよび立体化基板としてのパララックスバリア基板と貼り合わせる方法を用いることができる。
上記兼用例４の場合では、液晶レンズ基板を構成する透明基板の裏面にセンサ部を形成することによりタッチパネル基板および立体化基板を準備した上で、バックライトおよび液晶表示基板と貼り合わせる方法を用いることができる。
【００３７】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００３８】
以下、本発明について、実施例を挙げてより詳細に説明する。
【００３９】
[実施例１]
液晶表示装置に用いられるバックライトおよび液晶表示基板、液晶表示基板に表示された左眼画像と右眼画像とを分離して裸眼立体視を可能にする立体化基板およびタッチパネル基板をこの順で積層し、タッチパネル付立体視液晶表示装置を得た。
また、得られたタッチパネル付立体視液晶表示装置を確認したところ、裸眼による立体視が可能であり、タッチパネル操作による入力が可能であることが確認できた。
【００４０】
[実施例２]
立体化基板およびタッチパネル基板の間に、ＨＳＧ(日立化成社製)からなり、厚み１０μｍの絶縁層を形成した以外は、実施例１と同様にしてタッチパネル付立体視液晶表示装置を得た。
得られたタッチパネル付立体視液晶表示装置を確認したところ、裸眼による立体視が可能であり、タッチパネル操作による入力が可能であることが確認できた。
【００４１】
[裸眼による立体視およびタッチパネル入力の確認]
実施例で得られたタッチパネル付立体視液晶表示装置について裸眼による立体視およびタッチパネル操作による入力について確認した。その結果、実施例１および実施例２で得られたタッチパネル付立体視液晶表示装置により、裸眼による立体視が可能であり、タッチパネル操作による入力が可能であることが確認できた。
【００４２】
[タッチパネル基板の感度評価]
タッチパネル基板にドライバーＩＣを設置し、ＬＣＲメーター(株式会社エヌエフ回路設計ブロック社製、ＺＭ２３７２)で信号レベル検出を行った。タッチ用装置は８ｍｍ角の導体スタイラスを３軸ロボットに設置し、擬似的に指先を模した形で評価した。電極間を走査し電極上と電極間の中点の電気容量変化が電極上を１としたとき０．６以下であればタッチ認識可能で○とし、０．４以下で◎とした。容量変化の差が大きいほど誤認識の可能性が低くなるからである。
その結果、実施例１は○であり、実施例２では◎であった。この結果から、絶縁層を立体化基板およびタッチパネル基板の間に形成することにより、省電力化を図ることができることを確認できた。
【符号の説明】
【００４３】
１  …  バックライト
２  …  液晶表示基板
３  …  タッチパネル基板
４  …  立体化基板
５  …  カバーガラス
６  …  絶縁層
１０  …  タッチパネル付立体視液晶表示装置
【図１】
2015161795.tif 000003
【図２】
2015161795.tif 000004
【図３】
2015161795.tif 000005
【図４】
2015161795.tif 000006
【図５】
2015161795.tif 000007
【図６】
2015161795.tif 000008
【図７】
2015161795.tif 000009
【図８】
2015161795.tif 000010
【図９】
2015161795.tif 000011
【図１０】
2015161795.tif 000012
【図１１】
2015161795.tif 000013
【図１２】
2015161795.tif 000014